(57)【要約】      （修正有）【課題】傘の着脱操作が容易であり、傘の装着状態も安定し、身体の胴部前面における取付け位置も比較的自由に選べる傘装着具を提供する。【解決手段】傘装着具２は、傘を身体の胴部に着衣を介して装着する傘装着具であって、傘の柄の下端部分を上下２箇所で挟持する柄保持具７、８と、柄保持具７、８を両端部に備えた面ファスナー６と、を有し、柄保持具７は傘の柄の手元９を、柄保持具８は手元９の上部を、それぞれ締め付けねじ１５の操作により挟持する構成を有し、面ファスナー６は、これを着衣の面ファスナー３に貼着することにより傘を略垂直に位置決めするシートであり、かつ、柄保持具７と柄保持具８との間で折り畳み自在である。【選択図】図３
2014008093.tif 000002
【特許請求の範囲】
【請求項１】
傘を身体の胴部に着衣を介して装着する傘装着具であって、
傘の柄の下端部分を上下２箇所で挟持固定する第一及び第二の柄保持具と、
第一及び第二の柄保持具を表面両端部に備えたマジックシートと、を有し、
第一の柄保持具は傘の柄の手元（グリップ）を、第二の柄保持具は前記手元の上部を、それぞれ締め付けねじの操作により挟持する構成を有し、
前記マジックシートは、前記着衣に設けられたマジックシートに貼着することにより傘を略垂直に位置決めするシートであることを特徴とする傘装着具。
【請求項２】
請求項１に記載の傘装着具において、
前記柄保持具は、前記マジックシートに固着された底板と、
該底板の両端から立ち上がった互いに対抗する第一及び第二の立上り部と、
第一の立上り部の内側面に設けられた傘の柄受け部と、
第二の立上り部に設けられた、前記傘の柄受け部に対して進退自在の締め付けねじと、
前記締め付けねじの内側端に設けられた傘の柄押圧部と、
を有することを特徴とする傘装着具。
【請求項３】
請求項１または２に記載の傘装着具において、
第一及び第二の柄保持具を表面両端部に備えたマジックシートはフック状を、前記着衣に設けられたマジックシートはパイル状をそれぞれ有することを特徴とする傘装着具。
【請求項４】
請求項１乃至３の何れか一つに記載の傘装着具において、
第一及び第二の柄保持具を表面両端部に備えたマジックシートは、第一の柄保持具と第二の柄保持具との間で折り畳み自在であることを特徴とする傘装着具。
【請求項５】
請求項１乃至４の何れか一つに記載の傘装着具において、
前記着衣はチョッキであって、その胴部の寸法が調整自在であることを特徴とする傘装着具。
【発明の詳細な説明】
【技術分野】
【０００１】
本発明は、身体の胴部に傘を装着する傘装着具に関する。
【背景技術】
【０００２】
降雨時や日照時などに傘を身体に装着することにより両手を使用できるようにした傘装着具は、傘の柄を取り付ける手段としてベルトやマジックテープ（登録商標）を利用したものが知られている。また、傘装着具を身体に装着する手段としては、傘装着具を取り付けた、身体に巻き付けるベルト等が用いられている。
【先行技術文献】
【特許文献】
【０００３】
【特許文献１】特開２００４−２２９７８５号公報
【特許文献２】特開２００４−１６７９３号公報
【特許文献３】特開２００２−１４２８２３号公報
【発明の概要】
【発明が解決しようとする課題】
【０００４】
ベルト又はマジックテープ（登録商標）を利用した傘の取り付け固定手段を用いた傘装着具では、傘装着具に傘を安定的に強固に装着することの困難性を伴う。さらに、傘保持具を身体に装着する手段として巻き付けるベルトを用いた場合、身体の胴部前面における傘保持具取り付け位置の選択が難しい。
本発明は、傘装着具への傘の着脱操作が容易であり、傘の傘装着具への装着状態も安定し、身体の胴部前面における傘装着具の着脱も容易であり、かつ身体の胴部前面における傘装着具の取り付け位置の選択も比較的自由に選べる傘装着具の提供を目的とする。
【課題を解決するための手段】
【０００５】
上記目的を達成するために、請求項１に記載の発明は、傘を身体の胴部に着衣を介して装着する傘装着具であって、傘の柄の下端部分を上下２箇所で挟持固定する第一及び第二の柄保持具と、第一及び第二の柄保持具を表面両端部に備えたマジックシートと、を有し、第一の柄保持具は傘の柄の手元（グリップ）を、第二の柄保持具は前記手元の上部を、それぞれ締め付けねじの操作により挟持する構成を有し、前記マジックシートは、前記着衣に設けられたマジックシートに貼着することにより傘を略垂直に位置決めするシートであることを特徴とする。
【０００６】
請求項２に記載の発明は、請求項１に記載の傘装着具において、前記柄保持具は、前記マジックシートに固着された底板と、該底板の両端から立ち上がった互いに対抗する第一及び第二の立上り部と、第一の立上り部の内側面に設けられた傘の柄受け部と、第二の立上り部に設けられた、前記傘の柄受け部に対して進退自在の締め付けねじと、前記締め付けねじの内側端に設けられた傘の柄押圧部と、を有することを特徴とする。
請求項３に記載の発明は、請求項１または２に記載の傘装着具において、第一及び第二の柄保持具を表面両端部に備えたマジックシートはフック状を、前記着衣に設けられたマジックシートはパイル状をそれぞれ有することを特徴とする傘装着具。
請求項４に記載の発明は、請求項１乃至３の何れか一つに記載の傘装着具において、第一及び第二の柄保持具を表面両端部に備えたマジックシートは、第一の柄保持具と第二の柄保持具との間で折り畳み自在であることを特徴とする。
請求項５に記載の発明は、請求項１乃至４の何れか一つに記載の傘装着具において、前記着衣はチョッキであって、その胴部の寸法が調整自在であることを特徴とする。
【発明の効果】
【０００７】
本発明によれば、身体に対する傘の着脱がごく簡単であり、取り扱いも便利である効果を奏する。
【図面の簡単な説明】
【０００８】
【図１】傘を装着した傘装着具が、着衣であるチョッキの胴部前面に取り付けられている状況を示す正面図である。
【図２】胴部周囲長の調整マジックシートを有するチョッキの背面図である。
【図３】一対の傘の柄保持具を備えた傘装着具の正面図である。
【図４】図３のＡ−Ａ断面図である。
【図５】傘装着具の下半部を示す斜視図である。
【図６】傘装着具を備えたマジックシートの背面図である。
【発明を実施するための形態】
【０００９】
以下、本発明の実施形態を説明する。
図１において、符号１は、着衣としてのチョッキを示す。このチョッキ１の胴部前面の左右には、傘装着具２を貼着するマジックシート３が設けられている。
本発明において、マジックシートとは、マジックテープ（登録商標）の幅広テープを意味する。
【００１０】
チョッキ１の背面には、図２に示すように、チョッキ１を着衣したときの胴部の緩みを無くするために、それぞれの基部４a、５aをチョッキ１に固着したマジックシート４、５が設けられており、マジックシート４、５の各先端部の重なり長さの大小により胴部の余分な緩みをなくして適当な締り具合を調整する。
この胴部周囲の寸法の調整用マジックテープ（登録商標）は、チョッキの内側面に設けてもよく、また、胴部周囲長の調整用の用具としては、マジックテープ（登録商標）の代わりにベルトや、適当な紐などを用いることができる。
【００１１】
図３において、傘装着具２を構成するマジックシート６には、傘装着具２をチョッキ１に貼着した状態での下端部に第一の柄保持具７が、上端部に第二の柄保持具８が、それぞれ固着されている。
図１において、第一の柄保持具７は傘の柄の手元９（ハンドル）を、第二の柄保持具８は手元９よりも上部の中棒（シャフト）１０をそれぞれ保持する。
チョッキ１側のマジックシート３はパイル状を、傘装着具２を構成するマジックシート６はフック状をそれぞれ備える。
マジックシート３は、傘装着具２側のマジックシート６の装着に差し支えのない範囲で、見た目に良い形状に形成することが好ましく、その色彩も適宜、選択可能である。また、マジックシート６は、その面積を胴部前面から側部寄りに広がる大きさに形成することが望ましい。
第一及び第二の柄保持具７、８は略同じ構造からなるので、便宜上、第一の柄保持具７について、以下、説明する。
【００１２】
図３−５において、柄保持具７は、マジックシート６に固着された基板１１と、この基板１１に固着された底板１２の両端からそれぞれ立ち上がった第一及び第二の立ち上がり部１２a、１２bと、第一の立ち上がり部１２aの内側面に糊着された柄受け部１３と、第二の立ち上がり部１２bの外側面に固定されたナット１４に螺合し、柄受け部１３に対し進退自在の締め付けねじ１５と、この締め付けねじ１５の内端に設けられた、柄受け部１３と対向する柄押圧部１６を糊着した柄押圧部取付け部材１７と、締め付けねじ１５の外端に設けられた締め付けねじ操作つまみ１８を備えている。
【００１３】
柄受け部１３と柄押圧部１６は、共に、比較的硬いゴム材などの弾性部材で形成されていて、その互いの対向面は浅いＶ溝状になっている。
柄押圧部取付け部材１７は、締め付けねじ１５の内端面にねじ軸１９によって、回転自在に装着されている。
【００１４】
上下に一対の柄保持具７、８を有するマジックシート６は、チョッキ１のマジックシートの好みの適当な位置に貼着することができる。また、マジックシート６は、これをチョッキ１から取り剥がした状態で、第二の柄保持具８を中棒（シャフト）１０から取り外して、図３に示す柄保持具７、８間の折り畳み線部２０において、その裏面側に折り畳み自在である。
マジックシート６はフック状を備えているので、図６に示すように、一端部６ａにパイル状を帯状に設けることにより、マジックシート６を折り畳み線部２０で折り畳んだ状態で、その一端部６ａに他端部６ｂが貼着するので、傘と共に傘装着具の携帯が容易になる。
【符号の説明】
【００１５】
１  チョッキ
２  傘装着具
３  チョッキ側マジックシート
６  傘装着具側マジックシート
７、８  柄柄保持具
９  傘の柄の手元（ハンドル）
１０  中棒（シャフト）
１３  柄受け部
１５  締め付けねじ
１８  操作つまみ
２０  折り畳み線部
【図１】
2014008093.tif 000003
【図２】
2014008093.tif 000004
【図３】
2014008093.tif 000005
【図４】
2014008093.tif 000006
【図５】
2014008093.tif 000007
【図６】
2014008093.tif 000008
【手続補正書】
【提出日】平成24年11月5日(2012.11.5)
【手続補正１】
【補正対象書類名】明細書
【補正対象項目名】全文
【補正方法】変更
【補正の内容】
【発明の詳細な説明】
【技術分野】
【０００１】
本発明は、身体の胴部に傘を装着する傘装着具に関する。
【背景技術】
【０００２】
降雨時や日照時などに傘を身体に装着することにより両手を使用できるようにした傘装着具は、傘の柄を取り付ける手段としてベルトやマジックテープ（登録商標）を利用したものが知られている。また、傘装着具を身体に装着する手段としては、傘装着具を取り付けた、身体に巻き付けるベルト等が用いられている。
【先行技術文献】
【特許文献】
【０００３】
【特許文献１】特開２００４−２２９７８５号公報
【特許文献２】特開２００４−１６７９３号公報
【特許文献３】特開２００２−１４２８２３号公報
【発明の概要】
【発明が解決しようとする課題】
【０００４】
ベルト又はマジックテープ（登録商標）を利用した傘の取り付け固定手段を用いた傘装着具では、傘装着具に傘を安定的に強固に装着することの困難性を伴う。さらに、傘保持具を身体に装着する手段として巻き付けるベルトを用いた場合、身体の胴部前面における傘保持具取り付け位置の選択が難しい。
本発明は、傘装着具への傘の着脱操作が容易であり、傘の傘装着具への装着状態も安定し、身体の胴部前面における傘装着具の着脱も容易であり、かつ身体の胴部前面における傘装着具の取り付け位置の選択も比較的自由に選べる傘装着具の提供を目的とする。
【課題を解決するための手段】
【０００５】
上記目的を達成するために、請求項１に記載の発明は、傘を身体の胴部に着衣を介して装着する傘装着具であって、傘の柄の下端部分を上下２箇所で挟持固定する第一及び第二の柄保持具と、第一及び第二の柄保持具を表面両端部に備えた面ファスナーと、を有し、第一の柄保持具は傘の柄の手元（グリップ）を、第二の柄保持具は前記手元の上部を、それぞれ締め付けねじの操作により挟持する構成を有し、前記面ファスナーは、前記着衣に設けられた面ファスナーに貼着することにより傘を略垂直に位置決めするシートであることを特徴とする。
【０００６】
請求項２に記載の発明は、請求項１に記載の傘装着具において、前記柄保持具は、前記面ファスナーに固着された底板と、該底板の両端から立ち上がった互いに対抗する第一及び第二の立上り部と、第一の立上り部の内側面に設けられた傘の柄受け部と、第二の立上り部に設けられた、前記傘の柄受け部に対して進退自在の締め付けねじと、前記締め付けねじの内側端に設けられた傘の柄押圧部と、を有することを特徴とする。
請求項３に記載の発明は、請求項１または２に記載の傘装着具において、第一及び第二の柄保持具を表面両端部に備えた面ファスナーはフック状を、前記着衣に設けられた面ファスナーはパイル状をそれぞれ有することを特徴とする傘装着具。
請求項４に記載の発明は、請求項１乃至３の何れか一つに記載の傘装着具において、第一及び第二の柄保持具を表面両端部に備えた面ファスナーは、第一の柄保持具と第二の柄保持具との間で折り畳み自在であることを特徴とする。
請求項５に記載の発明は、請求項１乃至４の何れか一つに記載の傘装着具において、前記着衣はチョッキであって、その胴部の寸法が調整自在であることを特徴とする。
【発明の効果】
【０００７】
本発明によれば、身体に対する傘の着脱がごく簡単であり、取り扱いも便利である効果を奏する。
【図面の簡単な説明】
【０００８】
【図１】傘を装着した傘装着具が、着衣であるチョッキの胴部前面に取り付けられている状況を示す正面図である。
【図２】胴部周囲長の調整面ファスナーを有するチョッキの背面図である。
【図３】一対の傘の柄保持具を備えた傘装着具の正面図である。
【図４】図３のＡ−Ａ断面図である。
【図５】傘装着具の下半部を示す斜視図である。
【図６】傘装着具を備えた面ファスナーの背面図である。
【発明を実施するための形態】
【０００９】
以下、本発明の実施形態を説明する。
図１において、符号１は、着衣としてのチョッキを示す。このチョッキ１の胴部前面の左右には、傘装着具２を貼着する面ファスナー３が設けられている。
本発明において、面ファスナーとは、マジックテープ（登録商標）の幅広テープを意味する。
【００１０】
チョッキ１の背面には、図２に示すように、チョッキ１を着衣したときの胴部の緩みを無くするために、それぞれの基部４a、５aをチョッキ１に固着した面ファスナー４、５が設けられており、面ファスナー４、５の各先端部の重なり長さの大小により胴部の余分な緩みをなくして適当な締り具合を調整する。
この胴部周囲の寸法の調整用マジックテープ（登録商標）は、チョッキの内側面に設けてもよく、また、胴部周囲長の調整用の用具としては、マジックテープ（登録商標）の代わりにベルトや、適当な紐などを用いることができる。
【００１１】
図３において、傘装着具２を構成する面ファスナー６には、傘装着具２をチョッキ１に貼着した状態での下端部に第一の柄保持具７が、上端部に第二の柄保持具８が、それぞれ固着されている。
図１において、第一の柄保持具７は傘の柄の手元９（ハンドル）を、第二の柄保持具８は手元９よりも上部の中棒（シャフト）１０をそれぞれ保持する。
チョッキ１側の面ファスナー３はパイル状を、傘装着具２を構成する面ファスナー６はフック状をそれぞれ備える。
面ファスナー３は、傘装着具２側の面ファスナー６の装着に差し支えのない範囲で、見た目に良い形状に形成することが好ましく、その色彩も適宜、選択可能である。また、面ファスナー６は、その面積を胴部前面から側部寄りに広がる大きさに形成することが望ましい。
第一及び第二の柄保持具７、８は略同じ構造からなるので、便宜上、第一の柄保持具７について、以下、説明する。
【００１２】
図３−５において、柄保持具７は、面ファスナー６に固着された基板１１と、この基板１１に固着された底板１２の両端からそれぞれ立ち上がった第一及び第二の立ち上がり部１２a、１２bと、第一の立ち上がり部１２aの内側面に糊着された柄受け部１３と、第二の立ち上がり部１２bの外側面に固定されたナット１４に螺合し、柄受け部１３に対し進退自在の締め付けねじ１５と、この締め付けねじ１５の内端に設けられた、柄受け部１３と対向する柄押圧部１６を糊着した柄押圧部取付け部材１７と、締め付けねじ１５の外端に設けられた締め付けねじ操作つまみ１８を備えている。
【００１３】
柄受け部１３と柄押圧部１６は、共に、比較的硬いゴム材などの弾性部材で形成されていて、その互いの対向面は浅いＶ溝状になっている。
柄押圧部取付け部材１７は、締め付けねじ１５の内端面にねじ軸１９によって、回転自在に装着されている。
【００１４】
上下に一対の柄保持具７、８を有する面ファスナー６は、チョッキ１の面ファスナーの好みの適当な位置に貼着することができる。また、面ファスナー６は、これをチョッキ１から取り剥がした状態で、第二の柄保持具８を中棒（シャフト）１０から取り外して、図３に示す柄保持具７、８間の折り畳み線部２０において、その裏面側に折り畳み自在である。
面ファスナー６はフック状を備えているので、図６に示すように、一端部６ａにパイル状を帯状に設けることにより、面ファスナー６を折り畳み線部２０で折り畳んだ状態で、その一端部６ａに他端部６ｂが貼着するので、傘と共に傘装着具の携帯が容易になる。
【符号の説明】
【００１５】
１  チョッキ
２  傘装着具
３  チョッキ側面ファスナー
６  傘装着具側面ファスナー
７、８  柄柄保持具
９  傘の柄の手元（ハンドル）
１０  中棒（シャフト）
１３  柄受け部
１５  締め付けねじ
１８  操作つまみ
２０  折り畳み線部
【手続補正２】
【補正対象書類名】特許請求の範囲
【補正対象項目名】全文
【補正方法】変更
【補正の内容】
【特許請求の範囲】
【請求項１】
傘を身体の胴部に着衣を介して装着する傘装着具であって、
傘の柄の下端部分を上下２箇所で挟持固定する第一及び第二の柄保持具と、
第一及び第二の柄保持具を表面両端部に備えた面ファスナーと、を有し、
第一の柄保持具は傘の柄の手元（グリップ）を、第二の柄保持具は前記手元の上部を、それぞれ締め付けねじの操作により挟持する構成を有し、
前記面ファスナーは、前記着衣に設けられた面ファスナーに貼着することにより傘を略垂直に位置決めするシートであることを特徴とする傘装着具。
【請求項２】
請求項１に記載の傘装着具において、
前記柄保持具は、前記面ファスナーに固着された底板と、
該底板の両端から立ち上がった互いに対抗する第一及び第二の立上り部と、
第一の立上り部の内側面に設けられた傘の柄受け部と、
第二の立上り部に設けられた、前記傘の柄受け部に対して進退自在の締め付けねじと、
前記締め付けねじの内側端に設けられた傘の柄押圧部と、
を有することを特徴とする傘装着具。
【請求項３】
請求項１または２に記載の傘装着具において、
第一及び第二の柄保持具を表面両端部に備えた面ファスナーはフック状を、前記着衣に設けられた面ファスナーはパイル状をそれぞれ有することを特徴とする傘装着具。
【請求項４】
請求項１乃至３の何れか一つに記載の傘装着具において、
第一及び第二の柄保持具を表面両端部に備えた面ファスナーは、第一の柄保持具と第二の柄保持具との間で折り畳み自在であることを特徴とする傘装着具。
【請求項５】
請求項１乃至４の何れか一つに記載の傘装着具において、
前記着衣はチョッキであって、その胴部の寸法が調整自在であることを特徴とする傘装着具。